(57)【要約】【課題】インキ誘導芯から穂先が抜けることを防止可能な筆ペンを提供すること。【解決手段】円柱状の挿入部４２及び挿入部４２の外周面に設けられた係合部４５を有するインキ誘導芯２２と、毛束により構成され、挿入部４２を挿入可能に形成された穂先２３と、挿入部４２が挿入された穂先２３の外周面に設けられ、収縮することで、穂先２３を挿入部４２に固定する収縮チューブ２４と、を備える構成とする。【選択図】      図１
2015000535.tif 000002
【特許請求の範囲】
【請求項１】
円柱状の挿入部、及び、前記挿入部の外周面に設けられた係合部を有するインキ誘導芯と、
毛束により構成され、前記挿入部を挿入可能に形成された穂先と、
前記挿入部が挿入された前記穂先の外周面に設けられ、収縮することで、前記穂先を前記挿入部に固定する収縮チューブと、
を備えることを特徴とする筆ペン。
【請求項２】
前記係合部は、前記挿入部の外面の一部に形成され、少なくともその一部が前記挿入部の軸心方向に対して傾斜して形成された凹部であることを特徴とする請求項１に記載の筆ペン。
【請求項３】
前記係合部は、前記挿入部に設けられた平面部と、前記挿入部の外周面及び前記平面部の外面を連続する接合面と、を備えることを特徴とする請求項２に記載の筆ペン。
【請求項４】
前記係合部は、前記平面部が一対設けられることを特徴とする請求項３に記載の筆ペン。
【請求項５】
前記係合部は、前記挿入部に設けられ、前記挿入部の外径よりも小径の縮径部と、前記挿入部の外周面及び前記縮径部の外周面を連続する接合面と、を備えることを特徴とする請求項２に記載の筆ペン。
【発明の詳細な説明】
【技術分野】
【０００１】
本発明は、インキを誘導するインキ誘導芯に穂先が固定される筆ペンに関する。
【背景技術】
【０００２】
現在、人工毛又は自然毛が結束された穂先により、紙葉類に筆記可能な筆ペンが知られている（例えば、特許文献１参照）。筆ペンは、大先と、大先に固定されるインキカートリッジにより構成される。
【０００３】
筆ペンに用いられる大先は、一形態として、インキ誘導芯と、インキ誘導芯を挿入可能な穂先と、穂先をインキ誘導芯に固定する収縮チューブと、固定されたインキ誘導芯及び穂先を支持する軸体と、を備える構成が知られている。大先は、穂先にインキ誘導芯を挿入後、穂先を収縮した収縮チューブにより締め付けることで、穂先及びインキ誘導芯を固定する。インキカートリッジは、内部にインキが収容され、大先の軸体に固定可能に形成される。
【０００４】
このような筆ペンは、インキカートリッジ内のインキがインキ誘導芯を介して毛管現象により穂先に移動することで、筆記可能となる。
【先行技術文献】
【特許文献】
【０００５】
【特許文献１】特開２０００−１２７６７１号公報
【発明の概要】
【発明が解決しようとする課題】
【０００６】
上述した筆ペンでは、以下の問題があった。即ち、筆ペンは、インキ誘導芯に収縮チューブの収縮によって穂先を固定する構成であることから、インキ誘導芯及び穂先の軸心方向、換言すると、穂先がインキ誘導芯から抜ける方向に移動する虞があった。穂先がインキ誘導芯から移動し、穂先がインキ誘導芯から所謂抜け気味となると、インキ誘導芯と穂先との接触面積が低下する。このため、筆ペンは、毛管現象によるインキの移動量が所定の移動量よりも低下するとともに、筆記性が低下する虞があった。
【０００７】
そこで本発明は、インキ誘導芯から穂先が抜けることを防止可能な筆ペンを提供することを目的とする。
【課題を解決するための手段】
【０００８】
前記課題を解決し目的を達成するために、本発明の筆ペンは次のように構成されている。
【０００９】
本発明の一態様の筆ペンは、円柱状の挿入部、及び、前記挿入部の外周面に設けられた係合部を有するインキ誘導芯と、毛束により構成され、前記挿入部を挿入可能に形成された穂先と、前記挿入部が挿入された前記穂先の外周面に設けられ、収縮することで、前記穂先を前記挿入部に固定する収縮チューブと、を備える。
【発明の効果】
【００１０】
本発明によれば、インキ誘導芯から穂先が抜けることを防止可能な筆ペンを提供することが可能となる。
【図面の簡単な説明】
【００１１】
【図１】本発明の第１の実施形態に係る筆ペンの構成を示す断面図。
【図２】同筆ペンの要部構成を拡大して一部断面で示す側面図。
【図３】同筆ペンの要部構成を分解して一部断面で示す側面図。
【図４】同筆ペンの要部構成を一部断面で示す側面図。
【図５】同筆ペンに用いられるインキ誘導芯の構成を示す側面図。
【図６】同インキ誘導芯の要部構成を示す断面図。
【図７】同インキ誘導芯の要部構成を示す断面図。
【図８】本発明の第２の実施形態に係る筆ペンに用いられるインキ誘導芯の構成を示す側面図。
【図９】本発明の第３の実施形態に係る筆ペンに用いられるインキ誘導芯の構成を示す側面図。
【発明を実施するための形態】
【００１２】
（第１の実施形態）
以下、本発明の第１の実施形態に係る筆ペン１を、図１及び図２を用いて説明する。  
図１は本発明の第１の実施形態に係る筆ペン１の構成を示す断面図、図２は筆ペン１の要部構成、具体的には大先１１の構成を拡大して一部断面で示す側面図、図３は筆ペン１の要部構成、具体的には大先１１に用いられるインキ誘導芯２２、穂先２３及び収縮チューブ２４の構成を一部断面で示す側面図、図４は筆ペン１の要部構成であるインキ誘導芯２２、穂先２３及び収縮チューブ２４の構成を一部断面で示す組立図、図５はインキ誘導芯２２の構成を示す側面図、図６はインキ誘導芯２２の要部構成、具体的には図５中ＶＩ−ＶＩ断面の構成を示す断面図、図７はインキ誘導芯２２の図５中ＶＩＩ−ＶＩＩ断面の構成を示す断面図である。
【００１３】
図１に示すように、筆ペン１は、大先１１と、インキカートリッジ１２と、を備えている。また、筆ペン１は、大先１１を覆うキャップ、及び、大先１１に固定されたインキカートリッジ１２を覆うカバーを備える。
【００１４】
図２乃至図４に示すように、大先１１は、軸体２１と、インキ誘導芯２２と、穂先２３と、収縮チューブ２４と、を備えている。軸体２１は、略円筒状に形成され、その内部にインキ誘導芯２２を固定するとともに、穂先２３の一部を支持可能に形成される。また、軸体２１は、インキカートリッジ１２及びカバーを固定可能、且つ、キャップを着脱可能に形成されている。
【００１５】
具体的には、軸体２１は、第１軸体３１と、第２軸体３２と、第３軸体３３と、を備えている。第１軸体３１は、円筒状に形成される。第１軸体３１は、使用者が筆ペン１の使用時に、握ることが可能に形成されている。
【００１６】
第１軸体３１は、その一方の端部に、インキカートリッジ１２を固定する固定部３５と、インキカートリッジ１２内と連通するインキ流路を形成する流路部３６と、を備えている。
【００１７】
また、第１軸体３１は、その他方の端部側が、第２軸体３２及び第３軸体３３を嵌合可能に形成されている。例えば、第１軸体３１は、その内周面に第２軸体３２が嵌合され、第２軸体３２をその内部に配置する。また、例えば、第１軸体３１は、その内周面の一部に、第３軸体３３を嵌合し、第３軸体３３の一部をその内部に配置する。
【００１８】
固定部３５は、例えば、その内部にインキカートリッジ１２を嵌合可能に形成されている。また、固定部３５は、その外周面にカバーを固定する雄ねじ部又は嵌合部が形成されている。
【００１９】
流路部３６は、固定部３５の内部に設けられ、先端が傾斜する円筒状に形成される。流路部３６は、その先端がインキカートリッジ１２内に挿入されることで、インキカートリッジ１２内と流体的に接続される。また、流路部３６は、その開口がインキの流路を形成するとともにインキ誘導芯２２を挿入可能に形成されている。
【００２０】
第２軸体３２は、外周面に複数の円環状の溝が形成された円筒状に形成される。第２軸体３２は、その外周面が、第１軸体３１の内周面と嵌合するとともに、その内周面に、インキ誘導芯２２を固定可能に形成される。
【００２１】
第３軸体３３は、一端側から他端側に向かって、その外径及び内径が縮径する円筒状に形成される。第３軸体３３は、その一端側の外周面が、第１軸体３１の内周面と嵌合するとともに、その内周面の一部、例えば、その先端の内周面が穂先２３と当接可能に形成される。
【００２２】
インキ誘導芯２２は、胴部４１と、穂先２３に挿入され固定される挿入部４２と、を備えている。胴部４１は、第１軸体３１の流路部３６内にその一部が挿入されるとともに、その他部の一部が第２軸体３２に固定される。インキ誘導芯２２は、その内部をインキが毛管現象により移動可能に、アクリル樹脂で形成されている。
【００２３】
胴部４１は、その外周面の一部に、その軸心方向に沿って延設された溝部４４が形成される。溝部４４は、胴部４１の両端部間に亘って設けられ、両端部間の空気の流通路を構成する。
【００２４】
挿入部４２は、胴部４１よりも小径に形成された円柱状に形成される。挿入部４２は、その先端が円錐台形状に形成されている。換言すると、挿入部４２は、その中途部から先端に向って漸次縮径して形成される。また、挿入部４２は、その中途部に係合部４５を備えている。
【００２５】
係合部４５は、挿入部４２の外面の一部を切欠することで形成された凹部であって、インキ誘導芯２２の軸心方向に対して少なくともその一部が傾斜して形成される。具体的には、図５及び図６に示すように、係合部４５は、挿入部４２の外周面に設けられた一対の平面部４６と、挿入部４２の外周面及び平面部４６とを連続する係合面４７と、を備えている。
【００２６】
平面部４６は、挿入部４２の軸心方向の幅が、収縮チューブ２４の収縮時に、収縮チューブ２４の押圧により穂先２３が変形する幅に形成されている。なお、平面部４６の幅、及び、穂先２３を構成する毛の材質及び直径により、穂先２３の変形に必要な収縮チューブ２４の押圧力が異なることから、穂先２３の構成に応じて、平面部４６の幅が適宜設定される。係合面４７は、その傾斜角度が、挿入部４２の軸心方向に対して３０度以上９０度以下、例えば４５度に傾斜して形成される。
【００２７】
このような係合部４５は、平面部４６及び係合面４７により、挿入部４２の一部に形成され、係合面４７が挿入部４２の軸心方向に対して傾斜する凹部を構成する。
【００２８】
穂先２３は、複数の人口毛又は自然毛が結束された毛束である。例えば、穂先２３は、ポリブチレンテレフタレート樹脂で形成された毛を複数束ねることで形成される毛束である。穂先２３は、一方側から他方に向って縮径して形成される。
【００２９】
穂先２３は、その一端から先端に向って中途部まで、インキ誘導芯２２の挿入部４２を挿入可能に形成されている。具体的には、穂先２３は、インキ誘導芯２２の挿入部４２が挿入されることで、挿入部４２により穂先２３の毛が外周方向に押圧されることで移動し、開口部５１が形成される。この開口部５１の内周を構成する毛は、挿入部４２と接触する。
【００３０】
収縮チューブ２４は、円筒状に形成され、熱が印加されることで、収縮可能に形成されている。収縮チューブ２４は、その内部に穂先２３の一端側が挿入されるとともに、収縮することで、穂先２３に挿入されたインキ誘導芯２２の挿入部４２に穂先２３を固定可能に形成されている。
【００３１】
インキカートリッジ１２は、中空であって両端が閉塞された円筒状に形成され、その内部にインキを収容可能に形成されている。例えば、インキカートリッジ１２は、その一端が破断可能に閉塞され、その他端が開口する有底円筒状に形成されるとともに、その内部にインキを充填後にその他端が閉塞部材１２ａにより閉塞されることで形成される。
【００３２】
次に、このような筆ペン１の製造方法について説明する。  
図３に示すように、先ず、インキ誘導芯２２の挿入部４２を穂先２３に挿入する。次に、挿入部４２が挿入された穂先２３を、収縮チューブ２４に挿入する。このとき、収縮チューブ２４を穂先２３の挿入部４２が位置する部位に配置する。この状態で収縮チューブ２４に熱を印加する。
【００３３】
熱が印加された収縮チューブ２４は、収縮し、図４に示すように、当該収縮により穂先２３をインキ誘導芯２２に固定する。具体的には、穂先２３は、収縮チューブ２４の収縮により収縮チューブ２４によって締め付けられることで挿入部４２に押圧され、その一部が挿入部４２の外周面に、その挿入部４２の係合部４５に位置する他部が係合部４５に当接する。
【００３４】
これにより、図４に示すように、穂先２３の一部が係合部４５の位置で窪み、穂先２３の開口部５１の内周面の一部、具体的には開口部５１の内周面を形成する毛の一部が係合部４５と密着する。
【００３５】
次に、インキ誘導芯２２の胴部４１を第２軸体３２に固定し、第２軸体３２を第１軸体３１に固定する。次に、第３軸体３３を第１軸体３１に固定する。これにより、図２に示すように、大先１１が組み立てられる。例えば、この大先１１に、キャップ及びカバーが固定され、インキカートリッジ１２が未装着の状態で、インキカートリッジ１２を装着可能な筆ペン１が形成され、製品として出荷される。
【００３６】
なお、筆ペン１へのインキカートリッジ１２の装着は、例えば、筆ペン１の使用者によって行われる。例えば、先ず、使用者が、大先１１からカバーをはずす。次に、インキカートリッジ１２を、その破断可能な端部側から第１軸体３１に挿入し、インキカートリッジ１２を第１軸体３１に固定する。この固定により、インキカートリッジ１２の破断可能な一端が、流路部３６の傾斜する先端により破断され、インキカートリッジ１２の内部と流路部３６が流体的に接続する。
【００３７】
インキカートリッジ１２及び流路部３６が流体的に接続することにより、インキカートリッジ１２内のインキがインキ誘導芯２２に付着し、毛管現象によりインキ誘導芯２２から穂先２３にインキが供給される。
【００３８】
次に、第１軸体３１に、カバー及びキャップを固定する。これらの工程により、筆ペン１にインキカートリッジ１２が装着され、筆ペン１の筆記が可能となる。
【００３９】
このように構成された筆ペン１は、インキ誘導芯２２の挿入部４２に、挿入部４２の外周面から凹む係合部４５を設け、この挿入部４２を穂先２３に挿入する。また、穂先２３は、収縮チューブ２４の収縮により挿入部４２に押圧されることで、穂先２３が挿入部４２に固定される。
【００４０】
このとき、収縮チューブ２４の収縮により、穂先２３は、その一部が係合部４５の形状に変形して、係合部４５と当接する。穂先２３が変形することで、穂先２３がインキ誘導芯２２からそれらの軸心方向に沿って抜ける方向に力が印加されても、変形した穂先２３の一部及び係合面４７が、挿入部４２の軸心方向で係合する。この穂先２３及び係合面４７の係合により、係合部４５は穂先２３の移動を規制する。
【００４１】
筆ペン１は、係合部４５により穂先２３の移動を規制することで、穂先２３がインキ誘導芯２２から抜ける方向に移動することを防止可能となる。また、筆ペン１は、インキ誘導芯２２の外面に係合部４５を設ける簡単な構成でよく、筆ペン１の製造コストを増大させることなく、穂先２３の移動を防止可能となる。
【００４２】
上述したように本発明の第１の実施形態に係る筆ペン１によれば、インキ誘導芯２２及び穂先２３を係合部４５で係合し、係合部４５により穂先２３の移動を規制することで、インキ誘導芯２２から穂先２３が抜けることを防止となる。
【００４３】
（第２の実施形態）
以下、本発明の第２の実施形態に係る筆ペン１に用いられるインキ誘導芯２２Ａの構成を、図８を用いて説明する。  
図８は、本発明の第２の実施形態に係る筆ペン１に用いられるインキ誘導芯２２Ａの構成を示す側面図である。なお、第２の実施形態に係る筆ペン１の構成中、第１の実施形態に係る筆ペン１と同様の構成には同一符号を付し、その詳細な説明は省略する。また、第２の実施形態に係る筆ペン１は、インキ誘導芯２２Ａの構成以外、第１の実施形態に係る筆ペン１と同一の構成であることから、その詳細な構成は省略する。
【００４４】
第２の実施形態に係る筆ペン１の大先１１に用いられるインキ誘導芯２２Ａは、胴部４１と、穂先２３に挿入され固定される挿入部４２Ａと、を備えている。挿入部４２Ａは、胴部４１よりも小径に形成された円柱状に形成される。挿入部４２Ａは、その先端が円錐台形状、換言すると、その中途部から先端に向って漸次縮径して形成される。
【００４５】
また、挿入部４２Ａは、その中途部に係合部４５Ａを備えている。係合部４５Ａは、円柱状の挿入部４２Ａの外面の一部に設けられ、挿入部４２Ａの外面の一部を切欠することで形成された一つの平面部４６と、挿入部４２Ａの外周面及び平面部４６とを連続する係合面４７と、を備えている。
【００４６】
本実施形態に係るインキ誘導芯２２Ａは、上述したインキ誘導芯２２の係合部４５の平面部４６を一箇所にのみ設ける構成である。
【００４７】
このように構成されたインキ誘導芯２２Ａを用いた筆ペン１によれば、上述した第１の実施形態に係るインキ誘導芯２２を用いた筆ペン１と同様に、インキ誘導芯２２Ａ及び穂先２３を収縮チューブ２４で固定し、穂先２３及び係合部４５Ａを係合させることで、インキ誘導芯２２Ａから穂先２３が抜けることを防止となる。また、係合部４５Ａは、一つの平面部４６、並びに、挿入部４２Ａ及び平面部４６間を連続させる係合面４７を挿入部４２Ａに形成する構成でよく、製造コストを低減することが可能となる。
【００４８】
（第３の実施形態）
以下、本発明の第３の実施形態に係る筆ペン１に用いられるインキ誘導芯２２Ｂの構成を、図９を用いて説明する。  
図９は、本発明の第３の実施形態に係る筆ペン１に用いられるインキ誘導芯２２Ｂの構成を示す側面図である。なお、第３の実施形態に係る筆ペン１の構成中、第１の実施形態に係る筆ペン１及び第２の実施形態に係る筆ペン１と同様の構成には同一符号を付し、その詳細な説明は省略する。また、第３の実施形態に係る筆ペン１は、インキ誘導芯２２Ｂの構成以外、第１の実施形態に係る筆ペン１及び第２の実施形態に係る筆ペン１と同一の構成であることから、その詳細な構成は省略する。
【００４９】
第３の実施形態に係る筆ペン１の大先１１に用いられるインキ誘導芯２２Ｂは、胴部４１と、穂先２３に挿入され固定される挿入部４２Ｂと、を備えている。挿入部４２Ｂは、胴部４１よりも小径に形成された円柱状に形成される。挿入部４２Ｂは、その先端が円錐台形状に、換言すると、その中途部から先端に向って漸次縮径して形成される。
【００５０】
また、挿入部４２Ｂは、その中途部に係合部４５Ｂを備えている。係合部４５Ｂは、円柱状の挿入部４２Ｂの外面の一部に設けられた縮径部４６Ｂと、挿入部４２Ｂの外面及び縮径部６１の外面を連続する係合面４７Ｂと、を備えている。係合面４７Ｂは、その傾斜角度が、挿入部４２の軸心方向に対して３０度以上９０度以下、例えば４５度に傾斜して形成される。
【００５１】
本実施形態に係るインキ誘導芯２２Ｂは、係合部４５Ｂとして、挿入部４２Ｂの外径よりも小径の縮径部４６Ｂ並びに挿入部４２Ｂ及び縮径部４６Ｂを連続する係合面４７Ｂを挿入部４２Ｂに形成する構成が上述したインキ誘導芯２２，２２Ａと異なる構成であり、他の構成は上述したインキ誘導芯２２，２２Ａと同一の構成である。
【００５２】
このように構成されたインキ誘導芯２２Ｂを用いた筆ペン１によれば、上述した第１の実施形態に係るインキ誘導芯２２を用いた筆ペン１及び第２の実施形態に係るインキ誘導芯２２Ａを用いた筆ペン１と同様に、インキ誘導芯２２Ｂ及び穂先２３を収縮チューブ２４で固定することで、穂先２３及び係合部４５Ｂが係合し、インキ誘導芯２２Ｂから穂先２３が抜けることを防止となる。
【００５３】
また、係合部４５Ｂは、挿入部４２Ｂの外径を一部縮径する簡単な構成でよい。また、係合面４７Ｂは、挿入部４２Ｂ及び縮径部４６Ｂの外周に亘って設けられることから、係合面４７Ｂの面積が向上し、穂先２３を確実にインキ誘導芯２２Ｂに固定することが可能となる。
【００５４】
なお、本発明は上述した各実施形態に限定されるものではない。例えば、上述した例では、筆ペン１は、大先１１及びインキカートリッジ１２を有する構成を説明したがこれに限定されない。筆ペン１は、インキカートリッジ１２を着脱可能な大先１１のみの構成であってもよく、また、インキカートリッジ１２が大先１１に固定されている構成、より具体的には、インキカートリッジ１２が大先１１から取り外しができない構成であってもよい。
【００５５】
また、上述した例では、筆ペン１は、係合部４５，４５Ａ，４５Ｂとして、一対の平面部４６、一つの平面部４６又は一つの縮径部４６Ｂを設ける構成を説明したがこれに限定されない。例えば、筆ペン１は、インキ誘導芯２２，２２Ａ，２２Ｂの軸心方向に、係合部４５，４５Ａ，４５Ｂのいずれかを複数を設ける構成であってもよく、また、係合部４５，４５Ａ，４５Ｂを組み合わせた構成であってもよい。
【００５６】
また、上述した例では、筆ペン１は、インキ誘導芯２２，２２Ａ，２２Ｂ及び穂先２３を収縮チューブ２４により固定する構成を説明したがこれに限定されない。例えば、インキ誘導芯２２，２２Ａ，２２Ｂに穂先２３をより強固に固定する構成として、収縮チューブ２４を複数積層する構成や、他の構成、例えばワイヤや紐等により収縮チューブ２４をさらに締め付ける構成であってもよい。ただし、製造工程及び製造コスト等の観点から、収縮チューブ２４のみを用いる構成が好ましい。
【００５７】
さらに、上述した例では、係合面４７，４７Ｂは、挿入部４２，４２Ａ，４２Ｂの軸心方向に対して４５度に傾斜する構成を説明したがこれに限定されない。係合面４７，４７Ｂは、当該軸心方向に対して直交する角度（９０度）に近づくほど、穂先２３及び係合面が係合したときに、穂先２３の移動をより規制することから、係合面４７，４７Ｂの傾斜角度は、軸心方向に対して直交する角度に近づくほど好ましい。
【００５８】
また、上述した例では、筆ペン１は、インキカートリッジ１２が未装着の状態で製品として出荷される構成を説明したがこれに限定されない。筆ペン１は、予めインキカートリッジ１２が装着される構成であってもよい。この他、本発明の要旨を逸脱しない範囲で種々変形実施可能である。
【符号の説明】
【００５９】
１…筆ペン、１１…大先、１２…インキカートリッジ、１２ａ…閉塞部材、２１…軸体、２２，２２Ａ，２２Ｂ…インキ誘導芯、２３…穂先、２４…収縮チューブ、３１…第１軸体、３２…第２軸体、３３…第３軸体、３５…固定部、３６…流路部、４１…胴部、４２，４２Ａ，４２Ｂ…挿入部、４４…溝部、４５，４５Ａ，４５Ｂ…係合部、４６…平面部、４６Ｂ…縮径部、４７、４７Ｂ…係合面、５１…開口部、６１…縮径部。
【図１】
2015000535.tif 000003
【図２】
2015000535.tif 000004
【図３】
2015000535.tif 000005
【図４】
2015000535.tif 000006
【図５】
2015000535.tif 000007
【図６】
2015000535.tif 000008
【図７】
2015000535.tif 000009
【図８】
2015000535.tif 000010
【図９】
2015000535.tif 000011